(57)【要約】      （修正有）【課題】部屋や浴室などの窓ガラスを含む窓枠の全面を覆うことによって、窓からの隙間風や冷気の侵入を遮断し、更には結露の発生を無くし、環境や人体に優しく、暖かくて気持ちの良い部屋や浴室を確保可能なスクリーン形式の保温と結露防止のための装置を提供する。【解決手段】ロール状スクリーン２を、周縁部に取り付け部３を固着して軸棒８に巻き取り、巻きだし、巻き込みを可能に窓枠に開口溝を有する係止部を設け、平面状スクリーン２の周縁部にも取り付け部３を固着し、窓枠１２の周囲に取り付け部３を有する係止具を設け、スクリーンと窓枠周囲の３を重ね合わせて密着し固着して、窓の全面や半面を覆うと保温と結露防止装置１を形成する。【選択図】図１
0003143603.tif 000002
【実用新案登録請求の範囲】
【請求項１】
ロール状のスクリーンは、巻きだし、巻き込み可能に窓枠に開口溝を有する係止部を設け、平面状スクリーンは窓枠に設け、窓枠の周囲に取り付け部を持つ係止部を設け、スクリーンの周縁部に取り付け部を有し、係止することを特徴とするスクリーン形式の保温と結露防止装置。
【請求項２】
前記保温と結露防止装置において、スクリーンは、撥水性を備えた性質と着脱可能な取り付け部を有し、風や冷気を遮断し結露を防ぐ機能を持つ、請求項１記載のスクリーン形式の保温と結露防止装置。
【請求項３】
前記係止部は、窓枠周囲に、取り付け部を持つ係止具を有し、着脱自在に取り付けられてなることを特徴とする請求項１記載のスクリーン形式の保温と結露防止装置。
【考案の詳細な説明】
【技術分野】
【０００１】  本考案は、部屋や浴室などの保温と結露防止に関するものである。
【背景技術】
【０００２】  冬場の部屋の隙間風は、スライドするガラス窓枠の交差する部分と窓枠上部、更に下部の滑車とレールの隙間からの３箇所から入り込んでおり、冷気は窓ガラス越しに侵入している、寒冷地や強風の地域そして山間の地域では、カーテン等の下から侵入する隙間風や冷気を防ぎきれていない事と、部屋の中の温かい温度と窓ガラス外の冷気との温度差で発生する結露、特に北側の部屋の窓や壁そして勝手口の結露は、マンションや一般住宅では想像以上の悩みであり、有効な対策が無かった。【０００３】  冬場の浴室に裸で入るとき、あまりの寒さに身震いする原因は、スライドする窓枠の隙間から入り込む隙間風と窓ガラス越しに降りてくる冷気に加え、更にユニットバスでは樹脂製の窓枠の構造部が外に突き出た部分と浴室内の部材が一体形式のため、外の冷気を直接浴室内に伝えこむ構造になっているのである。  思わず風呂蓋を開け熱い浴槽に飛び込むのは、冷えた体にはその温度差があまりに危険な行為であり、心臓発作や脳溢血などを引き起こすのは、高齢者だけだはない、若い人も同じである。【０００４】  過去の対策では、部屋及び浴室でも窓全体をスクリーンで覆い、冷気を完全に遮断する対策で大きな成果を得たが、スクリーンを取り付ける係止具の構造が複雑で制作費アップになり、扱いやすい構造と制作費の低減が要求される。【０００５】  また、特許文献１に記載されているように、スクリーンの保温装置が提案されているが、保温効果では大きな成果を得たが、スクリーン取り付け器具の構造が複雑で、制作費も抑えられる扱い安いシンプルな構造が要求された。【特許文献１】実用登録第３１３１３８８号
【考案の開示】
【考案が解決しようとする課題】
【０００６】  本考案は、上記の点に鑑みなされたものであって、部屋や浴室などの窓ガラスを含む窓枠の全面を覆うことによって、窓からの隙間風や冷気の侵入を遮断し、更には結露の発生を無くし、環境や人体に優しく、暖かくて気持ちの良い部屋や浴室にすることで、身体的突発事故の心臓発作や脳溢血等を防ぐことも出来、癒し効果を生む部屋や浴室などの保温と結露防止を兼ねた装置を、扱いやすく安価で効果的に提供するものである。
【問題を解決するための手段】
【０００７】  本考案の要旨とするところは、窓枠本体と窓枠周囲の壁における着脱可能にする撥水性スクリーン設置と部屋や浴室の壁及び窓枠の周囲に、着脱自在なスクリーン係止具を固着し、撥水性を持ち薄くて保温性の高いスクリーンの周縁部にも、帯状の係止具を固着し両方を貼り合わせ密着し固着し窓の全面や半面を覆い、窓から侵入する隙間風や冷気を遮断し、結露を防ぐ滞留空気層を構成し、暖かくて気持ちよい癒しの空間を確保する、部屋と浴室などの保温と結露防止装置である。
【０００８】  ロール状のスクリーンは、巻きだし、巻き込み可能に窓枠に開口溝を有する係止部を設け、平面状スクリーンは窓枠に設け、窓枠の周囲に取り付け部を持つ係止部を設け、スクリーンの周縁部に取り付け部を有し、係止することを特徴とする、スクリーン形式の保温と結露防止装置。
【０００９】  前記保温と結露防止装置において、スクリーンは、撥水性を備えた性質と着脱可能な取り付け部を有し、風や冷気を遮断し結露を防ぐ機能を持つ、請求項１記載のスクリーン形式の保温と結露防止装置。
【００１０】  前記係止部は、窓枠の周囲に、取り付け部を持つ係止具を有し、着脱自在に取り付けられてなることを特徴とする請求項１記載のスクリーン形式の保温と結露防止装置。
【００１１】  前記スクリーンは、使用場所の用途に応じて、ロール状や平面状の形態を持たせることにより、利用範囲を広げ、スクリーンに絵や図柄等を描き明るい雰囲気を形成し、癒し効果を上げる請求項１記載のスクリーン形式の保温と結露防止装置。
【考案の効果】
【００１２】  上記保温と結露防止の部屋用では、冬場の寒冷地や山間の地域、海沿いや高台などの地域、マンションや一般住宅の北側の部屋に勝手口等、窓からの隙間風や冷気の侵入を遮断し、窓とスクリーンの間に滞留空気層を構成するので、部屋の熱が直接窓に伝わらず結露の発生を抑えて、動力を使わないので環境や人体に優しく、快適に過ごせる癒し空間の提供と、掃除をするときは窓の開閉ができるように、柔軟性を持つ取り付け部は、着脱自在な機能を備えており、掃除が終われば元に戻せばよい、このスクリーンは保温と結露の発生を抑える効果も大きいが、採光を維持しながら視界を遮るので外から中を覗かれない防犯効果も得られるのである。
【００１３】  浴室用では、上記の如き構成であるから、今まで体験したことの無い、真冬に半身浴が出来るほどの保温効果を発揮し、スクリーンに絵や図柄等を描き明るい雰囲気を作るので、ゆったりと落ち着いた快適で気持ちの良い入浴が出来ることから、心臓発作や脳溢血などの身体的突発事故を防ぐことが出来る。
【００１４】  上記保温と結露防止をする、撥水性のスクリーン貼り付けでは、薄くて柔軟性を有するスクリーン係止具は、木製、樹脂製、スチール製、陶磁器製などの広範囲の材質に使用でき、更にスクリーンは撥水性を持つため、浴室の蒸気を窓ガラス側への通過を遮断し、窓に結露が付かないので、窓周辺の外壁に青黴の発生も防ぐ効果が大きい、また、窓ガラス固定の押さえゴムやプラスチックの劣化防止も出来る、相乗効果を発揮する。
【考案を実施するための最良の形態】
【００１５】  本考案を実施する最良の形態は、窓枠上部や横方向における、撥水性のスクリーンをロール状に巻き、巻きだし、巻き込みを可能にするスクリーン取り付け部と、窓枠に直接貼り付ける平面状スクリーンと、窓枠周囲に固着する柔軟性を有するスクリーン係止具を設けスクリーン周縁部にも取り付け部を有し、密着し固着して、係止することによって保温と結露防止装置本体を構成する。  そして、保温と結露防止装置本体は、薄くて保温性の高い撥水性を備えたスクリーンと着脱可能な開口部を備えた取り付け部とで形成し、撥水性スクリーンは、周縁部に着脱可能な接着部を有し、軸棒にロール状に巻き、軸棒は挿抜自在な切込みを持つ受け枠に挿入しこの受け枠を両サイドに備えた取り付け部を形成し、平面状スクリーンは周縁部に着脱可能な接着部を有し、窓枠周囲に固着した取り付け部とからなり、スクリーンを貼り付ける接着部を持つ係止具は、着脱自在な帯状をなして窓枠周囲に固着し、スクリーン周縁部と共に窓枠周囲の貼り付け部に固着して窓の前面や半面を覆う様にするものである。【００１６】  以下本考案の実施形態について説明する。  図１はスクリーン保温と結露防止装置を部屋の窓枠に張り付けた斜視図、図２はスクリーン保温と結露防止装置を浴室窓枠壁に張り付けた斜視図、図３はスクリーン軸棒受け枠の斜視図、図４はスクリーンを軸棒に巻きつけた斜視図、図５は図４のＡ−Ａ線断面拡大図、図６は平面状スクリーンの斜視図、図７は図６のＢ−Ｂ線断面拡大図、図８は図６のＣ−Ｃ線断面拡大図、である。【００１７】  図１、図２に示す１は、樹脂のスクリーンはロール状と平面状からなり、可塑性を備え着脱可能な帯状を有する係止具からなる、部屋と浴室の窓枠全面を覆う保温と結露防止装置であり、この装置１は、着脱可能な軸棒８にスクリーンと共に係止具を巻きつけて、取り付け台５の両サイドに固着した挿抜自在な切り込みを持つ受け枠６に嵌める、そして取り付け台５は、部屋や浴室の内壁に直接ラベルや５ａ穴を使いビスなどの取り付け具で固着するが、平面状スクリーンは、窓枠周囲の取り付け部に直接張り付ける。【００１８】  図４、図６に示すスクリーン２は、周縁部に折り曲げ自在な帯状を有する係止具を固着し、撥水性の性質と図６に示すように端末に安定した広がりを確保する器具９を持ち、底辺に結露の水滴を窓枠外に流しだす器具１０を備え、窓枠全体を安定して包み込む効率の良い滞留空気層を構成できる。【００１９】  図１、図２に示す３は、窓枠の周囲とスクリーンの周縁部に固着する着脱可能な帯状の係止具で、両方を重ね合わせて密着させ固着することができ、窓枠全体を安定して包み込むことができる。【００２０】  次に、上記実施形態の作用について説明する。  先ず、スクリーン２の取り付けでは、部屋や浴室の壁にスクリーン２を取り付け器具５と共に窓枠の周囲にセットするが、通常は取り付け器具の底面に粘着した接着ラベルで張り付けるが、取り付ける場所によっては５ａのビス穴を利用し釘やビスなどで固着する。【００２１】  次に、部屋用と浴室用では、スクリーン２の下部に取り付けた拡張部９を持って引き卸し、窓枠１２の周囲に固着した着脱部３に、スクリーン２の周縁部の着脱部３を重ね合わせ���着し固着すると、窓の全面を覆いセットは完了するのである。
【図面の簡単な説明】
【００２２】
【図１】スクリーン保温と結露防止装置を部屋の窓枠に張り付けた斜視図
【図２】スクリーン保温と結露防止装置を浴室の窓枠に張り付けた斜視図
【図３】スクリーン軸棒受け枠の斜視図
【図４】スクリーンを軸棒に巻きつけた斜視図
【図５】図４のＡ−Ａ線断面拡大図
【図６】平面状スクリーン斜視図
【図７】図６のＢ−Ｂ線断面拡大図
【図８】図６のＣ−Ｃ線断面拡大図
【符号の説明】
【００２３】１    部屋と浴室の保温と結露防止装置２    スクリーン３    スクリーン係止具４    軸棒受け枠切込み部５    軸棒受け枠本体６    軸棒受け枠７    巻き取り用つまみ８    軸棒９    スクリーン端末固定部１０  結露の水滴排出シート１１  室内壁１２  窓枠
【図１】
0003143603.tif 000003
【図２】
0003143603.tif 000004
【図３】
0003143603.tif 000005
【図４】
0003143603.tif 000006
【図５】
0003143603.tif 000007
【図６】
0003143603.tif 000008
【図７】
0003143603.tif 000009
【図８】
0003143603.tif 000010